(57)【要約】【課題】モバイル端末に保持されている電子データをホームサーバに対して速やかに移動する。【解決手段】ステップＳ１において、再生中のコンテンツデータをホームサーバに取得させる対象として指定するための操作がユーザによって行われたか否かを判定し、行われたと判定された場合、処理はステップＳ２に進む。ステップＳ２において、そのコンテンツデータにフラグが付加される。ステップＳ３において、フラグが付加されたコンテンツデータ１４に、取得させるホームサーバを指定する情報が付加される。本発明は、例えば、ホームサーバとモバイル端末から構成されるシステムに適用することができる。【選択図】　　　図５
2004039093.tif 000002
【特許請求の範囲】
【請求項１】
ホームサーバとモバイル端末から構成される電子データ移動システムにおいて、
前記モバイル端末は、
前記ホームサーバに接続する接続手段と、
電子データを保持する保持手段と、
前記保持手段によって保持されている前記電子データを再生する再生手段と、
前記再生手段によって再生された前記電子データに対し、ユーザの操作に対応してフラグを付加する付加手段とを含み、
前記ホームサーバは、
前記モバイル端末が接続されたことを検知する検知手段と、
前記モバイル端末に保持されている前記電子データのうち、前記フラグが付加されている前記電子データを取得する取得手段と、
前記取得手段によって取得された前記電子データを保管する保管手段とを含む
ことを特徴とする電子データ移動システム。
【請求項２】
前記電子データは、コンテンツデータおよび前記コンテンツデータに対応する権利データのうち、少なくとも一方を含む
ことを特徴とする請求項１に記載の電子データ移動システム。
【請求項３】
モバイル端末と電子データを通信する情報処理装置において、
前記モバイル端末が接続されたことを検知する検知手段と、
前記モバイル端末に保持されている前記電子データのうち、フラグが付加されている前記電子データを取得する取得手段と、
前記取得手段によって取得された前記電子データを保管する保管手段と
を含むことを特徴とする情報処理装置。
【請求項４】
前記情報処理装置は、ホームサーバである
ことを特徴とする請求項３に記載の情報処理装置。
【請求項５】
前記電子データは、コンテンツデータおよび前記コンテンツデータに対応する権利データのうち、少なくとも一方を含む
ことを特徴とする請求項３に記載の情報処理装置。
【請求項６】
モバイル端末と電子データを通信する情報処理装置の情報処理方法において、
前記モバイル端末が接続されたことを検知する検知ステップと、
前記モバイル端末に保持されている前記電子データのうち、前記フラグが付加されている前記電子データを取得する取得ステップと、
前記取得ステップの処理で取得された前記電子データを保管する保管ステップと
を含むことを特徴とする情報処理方法。
【請求項７】
モバイル端末と電子データを通信するためのプログラムであって、
前記モバイル端末が接続されたことを検知する検知ステップと、
前記モバイル端末に保持されている前記電子データのうち、前記フラグが付加されている前記電子データを取得する取得ステップと、
前記取得ステップの処理で取得された前記電子データを保管する保管ステップと
を含むことを特徴とするコンピュータが読み取り可能なプログラムが記録されている記録媒体。
【請求項８】
モバイル端末と電子データを通信するコンピュータに、
前記モバイル端末が接続されたことを検知する検知ステップと、
前記モバイル端末に保持されている前記電子データのうち、前記フラグが付加されている前記電子データを取得する取得ステップと、
前記取得ステップの処理で取得された前記電子データを保管する保管ステップと
を実行させるプログラム。
【請求項９】
ホームサーバと電子データを通信する情報処理装置において、
前記ホームサーバに接続する接続手段と、
電子データを保持する保持手段と、
前記保持手段によって保持されている前記電子データを再生する再生手段と、
前記再生手段によって再生された前記電子データに対し、ユーザの操作に対応してフラグを付加する付加手段と
を含むことを特徴とする情報処理装置。
【請求項１０】
前記電子データは、コンテンツデータおよび前記コンテンツデータに対応する権利データのうち、少なくとも一方を含む
ことを特徴とする請求項９に記載の情報処理装置。
【請求項１１】
前記情報処理装置は、モバイル端末である
ことを特徴とする請求項３に記載の情報処理装置。
【請求項１２】
前記ホームサーバに接続されたことを確認する確認手段と、
前記確認手段の確認結果に対応して、前記付加手段によって前記フラグが付加された前記電子データを前記ホームサーバに移動する移動手段と
をさらに含むことを特徴とする請求項９に記載の情報処理装置。
【請求項１３】
ホームサーバと電子データを通信する情報処理装置の情報処理方法において、
前記ホームサーバに接続する接続ステップと、
電子データを保持する保持ステップと、
前記保持ステップの処理で保持されている前記電子データを再生する再生ステップと、
前記再生ステップの処理で再生された前記電子データに対し、ユーザの操作に対応してフラグを付加する付加ステップと
を含むことを特徴とする情報処理方法。
【請求項１４】
ホームサーバと電子データを通信するためのプログラムであって、
前記ホームサーバに接続する接続ステップと、
電子データを保持する保持ステップと、
前記保持ステップの処理で保持されている前記電子データを再生する再生ステップと、
前記再生ステップの処理で再生された前記電子データに対し、ユーザの操作に対応してフラグを付加する付加ステップと
を含むことを特徴とするコンピュータが読み取り可能なプログラムが記録されている記録媒体。
【請求項１５】
ホームサーバと電子データを通信するコンピュータに、
前記ホームサーバに接続する接続ステップと、
電子データを保持する保持ステップと、
前記保持ステップの処理で保持されている前記電子データを再生する再生ステップと、
前記再生ステップの処理で再生された前記電子データに対し、ユーザの操作に対応してフラグを付加する付加ステップと
を実行させるプログラム。
【発明の詳細な説明】
【０００１】
【発明の属する技術分野】
本発明は、電子データ移動システム、情報処理装置および方法、記録媒体、並びにプログラムに関し、例えば、モバイル端末からホームサーバに電子データを移動する場合に用いて好適な電子データ移動システム、情報処理装置および方法、記録媒体、並びにプログラムに関する。
【０００２】
【従来の技術】
従来、音楽ＣＤに記録されている楽曲のＰＣＭ（Ｐｕｌｓｅ　Ｃｏｄｅ　Ｍｏｄｕｌａｔｉｏｎ）データを取り込み、ＭＰＥＧ（Ｍｏｖｉｎｇ　Ｐｉｃｔｕｒｅ　Ｅｘｐｅｒｔｓ　Ｇｒｏｕｐ）２方式、ＡＴＲＡＣ（Ａｄａｐｔｉｖｅ　Ｔｒａｎｓｆｏｒｍ　Ａｃｏｕｓｔｉｃ　Ｃｏｄｉｎｇ）方式などによって圧縮符号化してハードディスクに蓄積するシステム（以下、ホームサーバと記述する）が存在する。
【０００３】
ハードディスクドライブに蓄積された楽曲等の符号化データは、当該ハードディスクドライブを内蔵するホームサーバによって再生できるだけでなく、モバイル端末（ウォークマン（商標）に代表される携帯型オーディオプレーヤ、携帯電話機、ＰＤＡ（Ｐｅｒｓｏｎａｌ　Ｄｉｇｉｔａｌ　Ａｓｓｉｓｔａｎｔ）、ノート型パーソナルコンピュータ等）のメモリ上にコピーを生成して利用することが可能である。ただし、楽曲等の著作権を保護するための機能として、符号化データのコピーが同時に存在し得る数は制限されている。以下、同時に存在し得る数を制限してデータのコピーを生成する処理をチェックアウトと記述する。
【０００４】
例えば、符号化データＡをチェックアウトできる数が２に制限されている場合、第１および第２のモバイル端末に符号化データＡをチェックアウトした状態では、第３のモバイル端末に符号化データＡをチェックアウトすることはできない。第３のモバイル端末に符号化データＡをチェックアウトするためには、第１または第２のモバイル端末から符号化データＡをホームサーバに戻す必要がある。以下、チェックアウトされたデータをホームサーバに戻す処理をチェックインと記述する。
【０００５】
また、このとき、第３のモバイル端末のメモリに符号化データＡをチェックアウトするための容量が残っていなければ、第３のモバイル端末にチェクアウトされている符号化データのうちの不要なものをホームサーバにチェックインして、第３のモバイル端末のメモリの容量を空ける必要がある。
【０００６】
【発明が解決しようとする課題】
ところで、チェックインの処理は、モバイル端末とホームサーバを接続した状態で、ユーザが、チェックインさせる符号化データを選択し、チェックインの実行を指示する必要がある。
【０００７】
すなわち、例えば、外出先でモバイル端末を利用して楽曲を聴いているとき、ユーザが「この曲は何度も聴いたので飽きた。ホームサーバに戻そう。」と思った場合、ユーザは当該楽曲を記憶し、上述したチェックインの処理において当該楽曲の符号化データを選択しなければならない。
【０００８】
そこで、ユーザが「この曲は何度も聴いたので飽きた。ホームサーバに戻そう。」と思った時点において、当該楽曲に対応する符号化データをチェックインの対象に指定することでき、その後、モバイル端末とホームサーバを接続した際に、ユーザが特に操作することなく、先程指定した符号化データのチェックインが実行されれば便利であるが、従来、そのような機能は実現されていない課題があった。
【０００９】
また、符号化データのチェックインの処理に限らず、例えば、モバイル端末に保持されている様々な電子データを、ホームサーバにコピーしたり、移動したりする場合においても、モバイル端末において電子データを利用している時点において、当該電子データをコピーや移動の対象にすることでき、その後、モバイル端末とホームサーバを接続した際に、ユーザが特に操作することなく、先程指定した電子データのコピーや移動が実行されれば便利であるが、従来、そのような機能は実現されていない課題があった。
【００１０】
本発明はこのような状況に鑑みてなされたものであり、モバイル端末に保持されている電子データをホームサーバに対して速やかに移動できるようにすることを目的とする。
【００１１】
【課題を解決するための手段】
本発明の電子データ移動システムは、モバイル端末が、ホームサーバに接続する接続手段と、電子データを保持する保持手段と、保持手段によって保持されている電子データを再生する再生手段と、再生手段によって再生された電子データに対し、ユーザの操作に対応してフラグを付加する付加手段とを含み、ホームサーバが、モバイル端末が接続されたことを検知する検知手段と、モバイル端末に保持されている電子データのうち、フラグが付加されている電子データを取得する取得手段と、取得手段によって取得された電子データを保管する保管手段とを含むことを特徴とする。
【００１２】
前記電子データは、コンテンツデータおよびコンテンツデータに対応する権利データのうち、少なくとも一方を含むようにすることができる。
【００１３】
本発明の第１の情報処理装置は、モバイル端末が接続されたことを検知する検知手段と、モバイル端末に保持されている電子データのうち、フラグが付加されている電子データを取得する取得手段と、取得手段によって取得された電子データを保管する保管手段とを含むことを特徴とする。
【００１４】
前記第１の情報処理装置は、ホームサーバであるようにすることができる。
【００１５】
前記電子データは、コンテンツデータおよびコンテンツデータに対応する権利データのうち、少なくとも一方を含むようにすることができる。
【００１６】
本発明の第１の情報処理方法は、モバイル端末が接続されたことを検知する検知ステップと、モバイル端末に保持されている電子データのうち、フラグが付加されている電子データを取得する取得ステップと、取得ステップの処理で取得された電子データを保管する保管ステップとを含むことを特徴とする。
【００１７】
本発明の第１の記録媒体のプログラムは、モバイル端末が接続されたことを検知する検知ステップと、モバイル端末に保持されている電子データのうち、フラグが付加されている電子データを取得する取得ステップと、取得ステップの処理で取得された電子データを保管する保管ステップとを含むことを特徴とする。
【００１８】
本発明の第１のプログラムは、モバイル端末が接続されたことを検知する検知ステップと、モバイル端末に保持されている電子データのうち、フラグが付加されている電子データを取得する取得ステップと、取得ステップの処理で取得された電子データを保管する保管ステップとをコンピュータに実行させることを特徴とする。
【００１９】
本発明の第２の情報処理装置は、ホームサーバに接続する接続手段と、電子データを保持する保持手段と、保持手段によって保持されている電子データを再生する再生手段と、再生手段によって再生された電子データに対し、ユーザの操作に対応してフラグを付加する付加手段とを含むことを特徴とする。
【００２０】
前記電子データは、コンテンツデータおよびコンテンツデータに対応する権利データのうち、少なくとも一方を含むようにすることができる。
【００２１】
前記第２の情報処理装置は、モバイル端末であるようにすることができる。
【００２２】
本発明の第２の情報処理装置は、ホームサーバに接続されたことを確認する確認手段と、確認手段の確認結果に対応して、付加手段によってフラグが付加された電子データをホームサーバに移動する移動手段とをさらに含むことができる。
【００２３】
本発明の第２の情報処理方法は、ホームサーバに接続する接続ステップと、電子データを保持する保持ステップと、保持ステップの処理で保持されている電子データを再生する再生ステップと、再生ステップの処理で再生された電子データに対し、ユーザの操作に対応してフラグを付加する付加ステップとを含むことを特徴とする。
【００２４】
本発明の第２の記録媒体のプログラムは、ホームサーバに接続する接続ステップと、電子データを保持する保持ステップと、保持ステップの処理で保持されている電子データを再生する再生ステップと、再生ステップの処理で再生された電子データに対し、ユーザの操作に対応してフラグを付加する付加ステップとを含むことを特徴とする。
【００２５】
本発明の第２のプログラムは、ホームサーバに接続する接続ステップと、電子データを保持する保持ステップと、保持ステップの処理で保持されている電子データを再生する再生ステップと、再生ステップの処理で再生された電子データに対し、ユーザの操作に対応してフラグを付加する付加ステップとをコンピュータに実行させることを特徴とする。
【００２６】
本発明の電子データ移動システムにおいては、モバイル端末により、再生された電子データに対し、ユーザの操作に対応してフラグが付加される。また、ホームサーバにより、モバイル端末に保持されている電子データのうち、フラグが付加されている電子データが取得される。
【００２７】
本発明の第１の情報処理装置および方法、並びにプログラムにおいては、モバイル端末の接続が検知され、モバイル端末に保持されている電子データのうち、フラグが付加されている電子データが取得されて保管される。
【００２８】
本発明の第２の情報処理装置および方法、並びにプログラムにおいては、保持されている電子データが再生され、再生された電子データに対し、ユーザの操作に対応してフラグが付加される。
【００２９】
【発明の実施の形態】
本発明を適用した電子データ移動システムの構成例について、図１を参照して説明する。この電子データ移動システムは、楽曲、静止画像、動画像などの符号化データ、ゲームなどのプログラムデータ、電子メールなどのテキストデータに代表される電子データ（以下、コンテンツデータ１４Ｏ（図２）と記述する）を蓄積するホームサーバ１、および、接続回線２を介してホームサーバ１に接続可能なモバイル端末３から構成される。
【００３０】
ホームサーバ１は、接続回線２を介して接続されたモバイル端末３に対し、蓄積しているコンテンツデータ１４Ｏのうちのユーザによって指定されたものを供給する。ここで、「供給する」とは、チェックアウトおよびコピーを含む用語として使用している。
【００３１】
また、ホームサーバ１は、モバイル端末３に記憶されているコンテンツデータ１４Ｃ（図２）のうち、モバイル端末３に対してユーザが指定したものを取得する。ここで、「取得する」とは、モバイル端末３からホームサーバ１に対するコンテンツデータ１４Ｃのチェックイン、コピー、および移動を含む用語として使用している。
【００３２】
なお、コンテンツデータ１４Ｃに対応して、コンテンツデータ１４Ｃを再生するために不可欠な権利データ１５Ｃが存在する場合、モバイル端末３にコンテンツデータ１４Ｃを残した状態で対応する権利データ１５Ｃだけをモバイル端末３からホームサーバ１に戻すことも、「取得する」の用語に含むものとする。すなわち、当該電子データ移動システムは、いわゆる電子データの超流通にも対応可能とされている。
【００３３】
接続回線２は、ＵＳＢ（Ｕｎｉｖｅｒｓａｌ　Ｓｅｒｉａｌ　Ｂｕｓ）ケーブル、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４ケーブルなどに代表される有線回線、あるいは、ＩＥＥＥ８０２．１１ｂ、Ｂｌｕｅｔｏｏｔｈ（商標）などに代表される無線回線から成る。
【００３４】
モバイル端末３は、ホームサーバ１から供給されたり、所定の方法で独自に取得したりしたコンテンツデータ１４Ｃを保管して再生する。ここで、「再生する」とは、対応する権利データ１５Ｃを利用することにより、楽曲の符号化データをデコードして音声を出力したり、静止画像や動画像の符号化データをデコードして対応する映像を表示したり、ゲームなどのプログラムデータを実行したり、電子メールなどのテキストデータを表示したりする処理を指す。
【００３５】
モバイル端末３は、コンテンツデータ１４Ｃの再生中または再生終了時、あるいは任意のタイミングにおいて、当該コンテンツデータ１４Ｃをホームサーバ１に取得させる対象としてユーザが指定できるようになされている。
【００３６】
図２は、ホームサーバ１およびモバイル端末３の構成例を示している。
【００３７】
ホームサーバ１のコンテンツ取得部１１は、例えば、記録メディアから読み出したり、インタネットを介してダウンロードしたりすることによって、コンテンツデータ１４Ｏを取得する。
【００３８】
コンテンツ管理部１２は、コンテンツ取得部１１が取得したコンテンツデータ１４Ｏをコンテンツ保管部１３に記憶させる。また、コンテンツ管理部１２は、コンテンツ保管部１３が蓄積するコンテンツデータ１４のうち、ユーザが指定するものを読み出し、接続部１６および接続回線２を介してモバイル端末３に供給する。
【００３９】
なお、コンテンツデータ１４Ｏに対応して当該コンテンツデータ１４Ｏの再生権を示す権利データ１５Ｏが存在する場合、権利データ１５Ｏもモバイル端末３に供給するようにする。
【００４０】
さらに、コンテンツ管理部１２は、モバイル端末３において取得の対象に指定されているコンテンツデータ１４Ｃを、接続部１６および接続回線２を介して取得する。
【００４１】
コンテンツ保管部１３は、コンテンツ管理部１２の制御に基づき、コンテンツデータ１４Ｏを記憶する。また、コンテンツ保管部１３は、コンテンツデータ１４Ｏに対応する権利データ１５Ｏが存在する場合、コンテンツデータ１４Ｏに権利データ１５Ｏを対応付けて記憶する。接続部１６は、接続回線２を介してモバイル端末３が接続されたことを検知し、モバイル端末３との接続を制御する。
【００４２】
モバイル端末３の接続部２１は、接続回線２を介してホームサーバ１に接続したことを検知し、ホームサーバ１との接続を制御する。
【００４３】
コンテンツ管理部２２は、接続部２１および接続回線２を介してホームサーバ１から供給されるコンテンツデータ１４Ｃをコンテンツ保管部２３に記憶させる。コンテンツデータ１４Ｃとともに権利データ１５Ｃも供給された場合、コンテンツデータ１４Ｃに対応付けて権利データ１５Ｃも記憶させる。
【００４４】
また、コンテンツ管理部２２は、設定部２４から入力されるユーザの操作情報に基づき、コンテンツ保管部２３に記憶されているコンテンツデータ１４Ｃのうち、ユーザによってホームサーバ１に取得させる対象に指定されたものにその旨を示すフラグを付加する。なお、モバイル端末３が接続し得るホームサーバ１が複数存在する場合に対応して、コンテンツ管理部２２は、設定部２４から入力されるユーザの操作情報または初期設定に対応して、当該フラグを付加したコンテンツデータ１４Ｃに、さらに、取得させるホームサーバ１を指定する情報を付加することができるようになされている。
【００４５】
さらに、コンテンツ管理部２２は、設定部２４から入力されるユーザの操作情報に基づき、コンテンツ保管部２３に記憶されているコンテンツデータ１４Ｃのうち、ユーザによって選択されたものを読み出してコンテンツ再生部２４に再生させる。
【００４６】
コンテンツ保管部２３は、コンテンツ管理部２２からの制御に従ってコンテンツデータ１４Ｃを記憶する。また、コンテンツ保管部１３は、コンテンツデータ１４Ｃに対応する権利データ１５Ｃが存在する場合、コンテンツデータ１４Ｃに権利データ１５Ｃを対応付けて記憶する。コンテンツ再生部２４は、コンテンツ管理部２２がコンテンツ保管部２３から読み出したコンテンツデータ１４Ｃを再生する。
【００４７】
設定部２５は、ユーザからの各種操作（再生するコンテンツデータ１４Ｃを選択する操作、再生の開始を指示する操作、ホームサーバ１に取得させる対象に指定する操作等）を受け付けて、対応する操作情報をコンテンツ管理部２２に出力する。
【００４８】
次に、図３は、所定のプログラムを実行することによってホームサーバ１として動作するパーソナルコンピュータ等の電気的な構成例を示している。
【００４９】
このパーソナルコンピュータは、ＣＰＵ（Ｃｅｎｔｒａｌ　Ｐｒｏｃｅｓｓｉｎｇ　Ｕｎｉｔ）３１を内蔵している。ＣＰＵ３１にはバス３４を介して、入出力インタフェース３５が接続されている。バス３４には、ＲＯＭ（Ｒｅａｄ　Ｏｎｌｙ　Ｍｅｍｏｒｙ）３２およびＲＡＭ（Ｒａｎｄｏｍ　Ａｃｃｅｓｓ　Ｍｅｍｏｒｙ）３３が接続されている。
【００５０】
入出力インタフェース３５には、ユーザが操作コマンドを入力するキーボード、マウスなどの入力デバイスよりなる操作入力部３６、操作画面等を表示するＣＲＴ（Ｃａｔｈｏｄｅ　Ｒａｙ　Ｔｕｂｅ）またはＬＣＤ（Ｌｉｑｕｉｄ　Ｃｒｙｓｔａｌ　Ｄｉｓｐｌａｙ）等よりなる表示部３７、プログラムやコンテンツデータ１４Ｏなどの各種データを格納するハードディスクドライブなどよりなる記憶部３８（コンテンツ保管部１３に相当する）、インタネットや接続回線２を介して通信する通信部３９、および磁気ディスク４１乃至半導体メモリ４４などの記録媒体に対してデータを読み書きするドライブ４０が接続されている。
【００５１】
このパーソナルコンピュータにホームサーバ１としての動作を実行させるプログラムは、磁気ディスク４１（フレキシブルディスクを含む）、光ディスク４２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク４３（ＭＤ（Ｍｉｎｉ　Ｄｉｓｃ）を含む）、もしくは半導体メモリ４４に格納された状態でパーソナルコンピュータに供給され、ドライブ４０によって読み出されて記憶部３８に内蔵されるハードディスクドライブにインストールされている。記憶部３８にインストールされているプログラムは、操作入力部３６に入力されるユーザからのコマンドに対応するＣＰＵ３１の指令によって、記憶部３８からＲＡＭ３３にロードされて実行される。
【００５２】
なお、ホームサーバ１として動作可能な電子機器は、パーソナルコンピュータだけに限定されるものではない。
【００５３】
次に、図４は、所定のプログラムを実行することによってモバイル端末３として動作するＰＤＡ等の電気的な構成例を示している。このＰＤＡは、ＣＰＵ５１を内蔵している。ＣＰＵ５１にはバス５４を介して、入出力インタフェース５５が接続されている。バス５４には、ＲＯＭ５２およびＲＡＭ５３が接続されている。
【００５４】
入出力インタフェース５５には、コンテンツデータ１４Ｃの再生結果としての音声信号を出力する音声出力部５６、ユーザが各種操作を入力する操作ボタンなどの入力デバイスよりなる操作入力部５７、操作画面やコンテンツデータ１４Ｃの再生結果としての映像を表示するＬＣＤ等よりなる表示部３７、記録媒体６０（コンテンツ保管部２３に相当する）に対してプログラムやコンテンツデータ１４Ｃなどの各種データを読み書きするドライブ５９、および接続回線２を介してホームサーバ１と通信する通信部６１が接続されている。
【００５５】
このＰＤＡにモバイル端末３としての動作を実行させるプログラムは、例えば、記録媒体６０に格納された状態でＰＤＡに供給され、ドライブ５９によって読み出されてＲＡＭ５３にインストールされている。ＲＡＭ５３にインストールされているプログラムは、操作入力部５７に入力されるユーザからのコマンドに対応するＣＰＵ５１の指令に対応して実行される。
【００５６】
なお、記録媒体６０は、ＰＤＡに内蔵されていてもよいし、ドライブ５９に対して着脱可能であってもよい。さらに、図３のドライブ４０に対しても着脱可能であってもよい。
【００５７】
また、モバイル端末３して動作可能な電子機器は、ＰＤＡだけに限定されるものではない。
【００５８】
次に、モバイル端末３による、再生中のコンテンツデータ１４Ｃをホームサーバ１に取得させる対象として指定する処理について、図５のフローチャートを参照して説明する。この処理は、コンテンツ再生部２４によってコンテンツデータ１４Ｃが再生されたときに開始される。
【００５９】
ステップＳ１において、コンテンツ管理部２２は、設定部２５からの操作情報に基づき、再生中のコンテンツデータ１４Ｃをホームサーバ１に取得させる対象として指定するための操作（例えば、所定のボタンを押下する操作）がユーザによって行われたか否かを判定する。再生中のコンテンツデータ１４Ｃをホームサーバ１に取得させる対象として指定するための操作がユーザによって行われたと判定された場合、処理はステップＳ２に進む。
【００６０】
ステップＳ２において、コンテンツ管理部２２は、コンテンツ保管部２３の対応するコンテンツデータ１４Ｃに、ユーザによってホームサーバ１に取得させる対象に指定されたことを示すフラグを付加する。
【００６１】
ステップＳ３において、コンテンツ管理部２２は、ステップＳ２でフラグを付加したコンテンツデータ１４Ｃに、取得させるホームサーバ１を指定する情報を付加する。なお、ステップＳ３に処理は省略しても構わない。ステップ３の処理を省略した場合、これ以降において最初に接続されたホームサーバ１にコンテンツデータ１４Ｃは取得されることになる。
【００６２】
ステップＳ１において、再生中のコンテンツデータ１４Ｃをホームサーバ１に取得させる対象として指定するための所定の操作がユーザによって行われていないと判定された場合、処理はステップＳ４に進む。
【００６３】
ステップＳ４において、コンテンツ管理部２２は、コンテンツ再生部２４によるコンテンツデータ１４Ｃの再生が終了したか否かを判定する。コンテンツデータ１４Ｃの再生が終了していないと判定された場合、処理はステップＳ１に戻り、それ以降の処理が繰り返される。
【００６４】
ステップＳ４において、コンテンツデータ１４Ｃの再生が終了したと判定された場合、処理はステップＳ５に進む。ステップＳ５において、コンテンツ管理部２２は、設定部２５からの操作情報に基づき、再生が終了したコンテンツデータ１４Ｃをホームサーバ１に取得させる対象として指定するための操作（例えば、所定のボタンを押下する操作）がユーザによって行われたか否かを判定する。再生が終了したコンテンツデータ１４Ｃをホームサーバ１に取得させる対象として指定するための操作がユーザによって行われたと判定された場合、ステップＳ２に進み、それ以降の処理が行われる。
【００６５】
ステップＳ４において、再生が終了したコンテンツデータ１４Ｃをホームサーバ１に取得させる対象として指定するための操作がユーザによって行われないと判定された場合、当該処理は終了される。
【００６６】
以上説明したように、ユーザはコンテンツデータ１４Ｃの再生時にリアルタイムで当該コンテンツデータ１４Ｃを、ホームサーバ１に取得させる対象として指定することが可能となる。
【００６７】
次に、ホームサーバ１による、モバイル端末３からコンテンツデータ１４Ｃを取得する処理について、図６のフローチャートを参照して説明する。この処理は、ホームサーバ１が起動されている間、継続して実行される。
【００６８】
ステップＳ１１において、ホームサーバ１の接続部１６は、接続回線２を介してモバイル端末３が接続されたか否かを監視し、モバイル端末３が接続されたと判定するまで待機する。モバイル端末３が接続されたと判定された場合、処理はステップＳ１２に進む。
【００６９】
ステップＳ１２において、コンテンツ管理部１２は、モバイル端末３のコンテンツ保管部２３に、ホームサーバ１に取得させる対象として指定されていることを示すフラグが付加されているコンテンツデータ１４Ｃが存在するか否かを判定する。フラグが付加されているコンテンツデータ１４Ｃが存在すると判定された場合、処理はステップＳ１３に進む。ステップＳ１３において、コンテンツ管理部１２は、接続部１６および接続回線２を介して、モバイル端末３のコンテンツ保管部２３からフラグが付加されているコンテンツデータ１４Ｃを取得する。この後、処理はステップＳ１１に戻り、それ以降の処理が繰り返される。
【００７０】
なお、ステップＳ１２において、モバイル端末３のコンテンツ保管部２３に、ホームサーバ１に取得させる対象として指定されていることを示すフラグが付加されているコンテンツデータ１４Ｃが存在しないと判定された場合、ステップＳ１３の処理はスキップされる。
【００７１】
以上、ホームサーバ１による、モバイル端末３からコンテンツデータ１４Ｃを取得する処理の説明を終了する。
【００７２】
ところで、モバイル端末３のコンテンツ保管部２３に存在する、ホームサーバ１に取得させる対象として指定されていることを示すフラグが付加されているコンテンツデータ１４Ｃを、ホームサーバ１によって取得させるのではなく、モバイル端末３が主導的に動作して、フラグが付加されているコンテンツデータ１４Ｃをホームサーバ１に移動させるようにしてもよい。
【００７３】
この処理について、図７のフローチャートを参照して説明する。
【００７４】
ステップＳ２１において、モバイル端末３の接続部２１は、接続回線２を介してホームサーバ１に接続されたか否かを監視し、ホームサーバ１が接続されたと判定するまで待機する。ホームサーバ１に接続されたと判定された場合、処理はステップＳ２２に進む。
【００７５】
ステップＳ２２において、コンテンツ管理部２２は、コンテンツ保管部２３に、ホームサーバ１に取得させる対象として指定されていることを示すフラグが付加されているコンテンツデータ１４Ｃが存在するか否かを判定する。フラグが付加されているコンテンツデータ１４Ｃが存在すると判定された場合、処理はステップＳ２３に進む。ステップＳ２３において、コンテンツ管理部２２は、コンテンツ保管部２３からフラグが付加されているコンテンツデータ１４Ｃを読み出し、接続部２１および接続回線２を介してホームサーバ１に移動する。
【００７６】
なお、ステップＳ２２において、コンテンツ保管部２３に、ホームサーバ１に取得させる対象として指定されていることを示すフラグが付加されているコンテンツデータ１４Ｃが存在しないと判定された場合、ステップＳ２３の処理はスキップされる。
【００７７】
以上、モバイル端末３が主導的に動作して、フラグが付加されているコンテンツデータ１４Ｃをホームサーバ１に移動させる処理の説明を終了する。
【００７８】
以上のように、本発明を適用した電子データ移動システムによれば、ユーザの記憶に頼ることなく、再生時にホームサーバ１に取得させるコンテンツデータ１４Ｃを指定することができる。
【００７９】
これにより、モバイル端末３のストレージ（コンテンツ保管部２３）を効率よく利用することができる。また、コンテンツデータ１４Ｃの利用価値を高めることができる。さらに、コンテンツデータ１４Ｃに対応する権利データ１５Ｃを効率よく扱うことができる。
【００８０】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００８１】
また、本明細書において、システムとは、複数の装置により構成される装置全体を表すものである。
【００８２】
【発明の効果】
以上のように、本発明によれば、モバイル端末に保持されている電子データをホームサーバに対して速やかに移動することが可能となる。
【図面の簡単な説明】
【図１】本発明を適用した電子データ移動システムの構成例を示すブロック図である。
【図２】ホームサーバ１およびモバイル端末３の構成例を示すブロック図である。
【図３】所定のプログラムを実行することによってホームサーバ１として動作するパーソナルコンピュータの構成例を示すブロック図である。
【図４】図４は、所定のプログラムを実行することによってモバイル端末３として動作するＰＤＡの構成例を示している。
【図５】モバイル端末３による、再生中のコンテンツデータ１４Ｃをホームサーバ１に取得させる対象として指定する処理を説明するフローチャートである。
【図６】ホームサーバ１による、モバイル端末３からコンテンツデータ１４Ｃを取得する処理を説明するフローチャートである。
【図７】モバイル端末３による、フラグが付加されているコンテンツデータ１４Ｃをホームサーバ１に移動させる処理を説明するフローチャートである。
【符号の説明】
１　ホームサーバ，　２　接続回線，　３　モバイル端末，　１１　コンテンツ取得部，　１２　コンテンツ管理部，　１３　コンテンツ保管部，　１４　コンテンツデータ，　１５　権利データ，　１６　接続部，　２１　接続部，　２２　コンテンツ管理部，　２３　コンテンツ保管部，　２４　コンテンツ再生部，　２５　設定部，３１　ＣＰＵ，　４１　磁気ディスク，　４２　光ディスク，４３　光磁気ディスク，　４４　半導体メモリ，　５１　ＣＰＵ，　６０　記録媒体
【図１】
2004039093.tif 000003
【図２】
2004039093.tif 000004
【図３】
2004039093.tif 000005
【図４】
2004039093.tif 000006
【図５】
2004039093.tif 000007
【図６】
2004039093.tif 000008
【図７】
2004039093.tif 000009